(57)【要約】【課題】必要に応じて大型の表示部に接続することのできる携帯通信端末を提供する。【解決手段】携帯通信端末１は、操作部１３及び制御部を備えた第１筐体２と、表示部１７を備えた第２筐体３とを有し、第１筐体２と第２筐体３とを分離可能であることを特徴とする。第１筐体２と第２筐体３とは、ハードウエアインターフェイス１８，１９を介して電気的に接続される。第１筐体２と第２筐体３の接続部２３，２４にロック機構を備える。【選択図】図２
2008211561.tif 000002
【特許請求の範囲】
【請求項１】
操作部、通信部及び制御部を備えた第１筐体と、表示部を備えた第２筐体とを有し、
前記第１筐体と前記第２筐体とは着脱可能であることを特徴とする携帯通信端末。
【請求項２】
前記第１筐体と前記第２筐体とは、ハードウエアインターフェイスを介して電気的に接続されることを特徴とする請求項１に記載の携帯通信端末。
【請求項３】
前記ハードウエアインターフェイスは、汎用ハードウエアインターフェイスであることを特徴とする請求項２に記載の携帯通信端末。
【請求項４】
前記ハードウエアインターフェイスは、ＤＶＩ（Digital Visual Interface）であることを特徴とする請求項２または３に記載の携帯通信端末。
【請求項５】
前記第１筐体と前記第２筐体との接続部に、ロック機構を備えることを特徴とする請求項１から請求項４のうちいずれか一項に記載の携帯通信端末。
【請求項６】
前記操作部は、前記ハードウエアインターフェイスを介して前記第１筐体に接続される他の電子機器を操作可能であることを特徴とする請求項１から請求項５のうちいずれか一項に記載の携帯通信端末。
【請求項７】
前記通信部は、前記第１筐体に着脱可能であることを特徴とする請求項１から請求項５のうちいずれか一項に記載の携帯通信端末。
【発明の詳細な説明】
【技術分野】
【０００１】
本発明は、携帯通信端末に関し、特に表示部が携帯通信端末本体から着脱可能な携帯通信端末に関する。
【背景技術】
【０００２】
従来、携帯通信端末は、折り畳み型や直線型に関わらず携帯性を重視した設計であるために、ユーザーインターフェイス部分（携帯通信端末本体）と表示部がほぼ同じ大きさであり、切り離すことのできない構造である。
しかし、携帯通信端末は、単に電話としての機能だけでなく、種々の情報をリアルタイムで取得する役割も担っており、画像情報や動画情報を表示するには、表示部のサイズが小さく、迫力に欠けるものであった。また、価格の面からもディスプレイ機能には制約が存在した。更に、携帯通信端末で取得したデータを、無線を利用して外部に送信しようとすると盗聴等の虞が考えられセキュリティに不安があった。また、携帯通信端末を外部機器と接続する為には、別途専用ケーブルが必要であった。
【０００３】
また、携帯性を維持しつつ、必要に応じて表示部の面積を大きく取れるものとして、携帯通信端末に取り外し自在に連結されたカード型ディスプレイを備えたものが提案されている（特許文献１）。これは、携帯通信端末と一体的に備えられた表示部の他に、着脱式の大型のカード型ディスプレイを設けたものである。
【特許文献１】特開２００４−３５００９６号公報
【発明の開示】
【発明が解決しようとする課題】
【０００４】
しかし、特許文献１に開示された技術では、専用の接続プラグ或いはコネクタケーブルを使用しなければならず、広く普及している大型ディスプレイやパソコン画面等に接続することができない為に、汎用性に欠けるという問題があった。
【０００５】
本発明は、上述した事情に鑑みてなされたもので、必要に応じて大型の表示部に接続することのできる携帯通信端末を提供することを目的とする。
【課題を解決するための手段】
【０００６】
本発明に係る携帯通信端末では、上記課題を解決するために以下の手段を採用した。
本発明に係る携帯通信端末は、操作部、通信部及び制御部を備えた第１筐体と、表示部を備えた第２筐体とを有し、前記第１筐体と前記第２筐体とは着脱可能であることを特徴とする。
【０００７】
また、前記第１筐体と前記第２筐体とは、ハードウエアインターフェイスを介して電気的に接続されることを特徴とする。
また、前記ハードウエアインターフェイスは、汎用ハードウエアインターフェイスであることを特徴とする。
また、前記ハードウエアインターフェイスは、ＤＶＩ（Digital Visual Interface）であることを特徴とする。
【０００８】
また、前記第１筐体と前記第２筐体との接続部に、ロック機構を備えることを特徴とする。
【０００９】
また、前記操作部は、前記ハードウエアインターフェイスを介して前記第１筐体に接続される他の電子機器を操作可能であることを特徴とする。
【００１０】
また、前記通信部は、前記第１筐体に着脱可能であることを特徴とする。
【発明の効果】
【００１１】
本発明によれば以下の効果を得ることができる。
本発明では、第１筐体（本体）と第２筐体（表示部）とを汎用性のハードウエアインターフェイスで着脱可能に接続し、表示部が交換可能であるので、通常は標準型の表示部で携帯電話としての機能を活用し、必要に応じて大型の表示部に接続して第１筐体（本体）をデータ記憶端末として使用することができる。
【発明を実施するための最良の形態】
【００１２】
以下、本発明の携帯通信端末の実施形態について図を参照して説明する。
図１は、本発明の一実施形態に係る携帯通信端末の構成を示すブロック図である。
携帯通信端末１は、本体２と、本体２から分離（着脱）可能に構成された表示機能部３とから構成されている。
【００１３】
本体２は、通信部１０と、カメラ１１と、記憶部１２と、キー入力部１３と、音声処理部１４と、制御部２０等から構成されている。
通信部１０は、アンテナＡＮＴ１１を介して無線により音声通信やデータ通信を行う。なお、通信部１０及びアンテナＡＮＴ１１は、本体２から着脱可能に構成されている（図２参照）。
また、記憶部１２は、ユーザーにより予め記録された電話番号や留守番メッセージ、短縮番号、呼び出しメロディー等のデータが記憶される。
【００１４】
キー入力部１３は、テンキーおよび各種機能キーからなりユーザーの指示、電話番号等を入力する。音声処理部１４は、通話時の相手の音声をアナログ化してスピーカ１５から音声出力したり、マイク１６から入力されるユーザーの音声をデジタル化して取り込んだりする。
そして、制御部２０は、上記各部を統括的に制御するようになっている。
【００１５】
表示機能部３は、表示部１７と、スピーカ１５等から構成されている。表示部１７は、液晶表示器等から構成されている。
表示機能部３は、接続端子１９によって本体２側の接続端子１８と着脱可能に接続されている。接続端子１８，１９としては、汎用のハードウエアインターフェイス、例えばＤＶＩ（Digital Visual Interface）またはＵＳＢ等で接続することができる。
【００１６】
図２は、本発明に係る携帯通信端末の表示機能部３を取り外した状態を示す斜視図である。図３は、コネクタ部２４をコネクタ面から見た図である。
携帯通信端末１の本体（第１筐体）２は、表面にキー入力部１３は配設されており、下端にマイク１６が配設されている。また、本体２の下端には、通信部１０を内蔵したＳＩＭ（Subscriber Identity Module）カード３０が挿入されるスロット２１が形成されている。
ＳＩＭカード３０は、通信部１０とアンテナＡＮＴ１１を内蔵する多機能通信モジュールであって、これを本体２に接続することで、ＰＨＳ通信機能等を付加してデータの発信や受信を行うことが可能となる。
【００１７】
更に、本体２の上端には、ヒンジ２２で半回動可能に支持されたコネクタ部（接続部）２３が取り付けられている。このコネクタ部２３には、接続端子１８と、後述するロック機構５０の一部が配設されている。
一方、表示機能部３は、表面に表示部１７とスピーカ１５が配設されており、下端にコネクタ部（接続部）２４が取り付けられている。このコネクタ部２４には、接続端子１９と、ロック機構５０のガイドピン５１が配設されている。
【００１８】
コネクタ部２３には、図３に示すように、両端にロック機構５０の一部と、電源・制御用コネクタ２６と、ＶＧＡ／ＸＧＡ等の画像データ用コネクタ２７が配設されている。
電源・制御用コネクタ２６は、本体２から表示機能部３へ電源や制御信号、クロック信号等を供給する。画像データ用コネクタ２７は、画像データ信号や音声信号を供給する。
【００１９】
図４は、コネクタ部２３に設けられるロック機構５０の一例を示す模式図である。
ロック機構５０は、表示機能部３のコネクタ部２４の両端に突出するように配設された一対のガイドピン５１と、本体２のコネクタ部２３の両端に配設された一対のガイドピン穴５４及び係合部５５とから構成される。
【００２０】
ガイドピン５１は、側面一部に係合凹溝５１ａを有する。一方、ガイドピン穴５４は、ガイドピン５１が挿入される空間であって、その側面に係合部５５が回動可能に軸支されている。
係合部５５は、ガイドピン穴５４に突出する係合突起５５ａを有しており、ガイドピン穴５４内に挿入されたガイドピン５１の係合凹溝５１ａと係合可能となっている。係合突起５５ａは挿入方向に背向する面を有し、一方、係合凹溝５１ａは係合突起５５ａの面に対向する面を有している。したがって、係合部５５の係合突起５５ａとガイドピン５１の係合凹溝５１ａとが係合すると、係合突起５５ａの背向面と係合凹溝５１ａの対向面とが密着してガイドピン５１の反挿入方向（取り外し方向）への移動が規制される。
【００２１】
ロック機構５０を解除する、すなわち係合突起５５ａと係合凹溝５１ａの係合を解除するには、コネクタ部２３の側面から突出するように配置された係合部５５の押圧部５５ｂを押圧することに行われる。すなわち、図４（ａ）に示す状態にバネ付勢された係合部５５は、（ｂ）に破線で示すように回動してガイドピン５１との係合が解除される。
【００２２】
このように、構成されたロック機構５０は、表示機能部３のガイドピン５１を本体２のガイドピン穴５４に挿入することにより、表示機能部３を本体２に固定することができる。また、ガイドピン５１の間に配置された電源・制御用コネクタ２６、画像データ用コネクタ２７の接続も完了する。更に、表示機能部３を取り外す際には、係合部５５の押圧部５５ｂを両端側から押圧することで、ロックが解除され容易に切り離すことができる。
【００２３】
次に以上のように構成された本発明の携帯通信端末の使用方法について説明する。
先ず、通常の携帯電話として使用する場合は、図２に示すような表示機能部３を装着して通話、データの送受信、カメラ１１による撮影等を行うことができる。
次に、ユーザーが会社や自宅に到着した場合、外出中に撮影した撮影データをテレビ（TV）やパソコン（PC）の大型ディスプレイ画面に接続して表示することができる。つまり、本体２から表示機能部３を取り外し、本体２にテレビやパソコンを汎用ハードウエアインターフェイス（接続端子１８）を介して接続する。また、パソコンへのデータ転送も容易にできる。
また、本体２に設けられたキー入力部１３は、テレビやパソコンを操作に必要なキーを兼ね備えているので、キー入力部１３の操作により不都合なくテレビやパソコン等の他の電子機器に所望の処理を行わせることができる。
【００２４】
また、表示機能部３を取り外し、表示機能部３よりも大画面の表示部を有する他の表示機能部を接続して、通話、データの送受信等を行うこともできる。
【００２５】
また、本体２にユーザー認証機能を持たせることで、出先などでディスプレイ部のみを借用して、本体２に供給されるコンテンツ等を表示してプレゼンテーション等が可能となる。更に、本体２で得た交通渋滞情報、事故情報、交通規制情報等の最新の交通情報を自動車に搭載したナビゲーション装置に接続し、提供することでＧＰＳシステムと連携して目的地までの誘導をより的確に行うことができる。
【００２６】
このように、従来は携帯性の要請から表示部の大きさやデザインに制約が存在したが、本発明の携帯通信端末によれば、表示部と携帯通信端末本体を汎用ハードウエアインターフェイスで着脱可能に接続し、普段は標準型のディスプレイを付けて携帯電話としての機能を活用し、会社や自宅においては好みや目的に応じた多種多様なディスプレイを選択して表示することができる。また、本体２と表示機能部３は、物理的なコネクタを介して接続されるので、外部に情報が漏れる虞がなくセキュリティの向上が図れる。
【００２７】
なお、本発明の接続端子として、表裏の差別なく装着できるＵＳＢジャックを使用すれば、表示機能部３を逆向きにして本体２に接続することができ、表示機能部の表裏に別々の機能を付与して活用することができる。
【図面の簡単な説明】
【００２８】
【図１】本発明の実施形態に係る携帯通信端末の構成を示すブロック図である。
【図２】本発明の実施形態に係る携帯通信端末を示す斜視図である。
【図３】携帯通信端末の接続部を示す拡大説明図である。
【図４】携帯通信端末の接続部のロック機構を示す模式図である。
【符号の説明】
【００２９】
１…携帯通信端末
２…本体（第１筐体）
３…表示機能部（第２筐体）
１０…通信部
１３…キー入力部（操作部）
１７…表示部
１８，１９…接続端子（ハードウエアインターフェイス）
２０…制御部
２３，２４…コネクタ部（接続部）
２６…電源・制御用コネクタ
２７…画像データ用コネクタ
５０…ロック機構
【図１】
2008211561.tif 000003
【図２】
2008211561.tif 000004
【図３】
2008211561.tif 000005
【図４】
2008211561.tif 000006